(57)【要約】【課題】複数の光源から出射する光が不均一となるのを抑制できる照明装置を簡素な構成で提供し、さらにこれを用いた電気光学装置、および電子機器を提供すること。【解決手段】バックライト４０には、光を出射するＬＥＤ４１が帯状に複数設けられている。このバックライト４０は、複数のＬＥＤ４１に対応して設けられた複数のスイッチング素子４３と、これら複数のスイッチング素子４３を介して、複数のＬＥＤ４１に駆動電流を供給する１つの定電流電源回路４２と、を備える。バックライト制御回路により、複数のスイッチング素子４３は、オン、オフをそれぞれ制御され、定電流電源回路４２は、上述の複数のスイッチング素子４３のオン、オフの制御に同期して、駆動電流Ｉを制御される。【選択図】図２
2007304386.tif 000002
【特許請求の範囲】
【請求項１】
光を出射する複数の光源が帯状に設けられた照明装置であって、
前記複数の光源に対応して設けられた複数のスイッチング素子と、
前記複数のスイッチング素子を介して、前記複数の光源に駆動電源を供給する１つの電
源回路と、
前記複数のスイッチング素子のオンまたはオフをそれぞれ制御するとともに、前記複数
のスイッチング素子のオンまたはオフの制御に同期して、前記電源回路からの供給を制御
する制御回路と、を備えたことを特徴とする照明装置。
【請求項２】
請求項１に記載の照明装置において、
前記電源回路は、定電流回路で構成され、
前記定電流回路の一端には、低電位電源が接続されるとともに、前記定電流回路の他端
には、前記スイッチング素子の一端が接続され、前記複数の光源に駆動電流を供給するこ
とを特徴とする照明装置。
【請求項３】
請求項２に記載の照明装置において、
前記光源のアノードには、前記複数のスイッチング素子の他端が接続され、前記光源の
カソードには、低電位電源が接続されることを特徴とする照明装置。
【請求項４】
請求項１乃至３のいずれか１項に記載の照明装置において、
前記複数の光源がエレクトロルミネッセンス素子で構成されることを特徴とする照明装
置。
【請求項５】
請求項１乃至４のいずれか１項に記載の照明装置と、
複数の走査線と、複数のデータ線と、前記複数の走査線と前記複数のデータ線との交差
に対応して設けられた複数の画素を有し、入力される画像信号に基づいて、前記照明装置
から出射される光を変調する電気光学パネルと、を備え、
前記照明装置では、前記画素に対して画像信号がデータ線を介して供給されてから当該
画素に設けられた電気光学材料の光学応答が完了するまでの間、前記複数の光源のうち前
記画素に対応する光源が消灯し、前記電気光学材料の光学応答が完了した後に、前記複数
の光源のうち前記画素に対応する光源が所定の強度で発光することを特徴とする電気光学
装置。
【請求項６】
請求項５に記載の電気光学装置を備えたことを特徴とする電子機器。
【発明の詳細な説明】
【技術分野】
【０００１】
本発明は、照明装置、電気光学装置、および電子機器に関する。
【背景技術】
【０００２】
液晶表示装置は、ＣＲＴなどの表示装置と比較して、動画の表示特性が悪い、という問
題が指摘されている。すなわち、ＣＲＴなどでは、各画素は、所定周期の中で一瞬発光し
た後に暗くなるインパルス型表示をするが、液晶などでは、各画素は、ほぼ一定の明るさ
を保つホールド型表示である。このため、液晶表示装置では、動画の表示特性が悪く、動
画にぼやけが生じていた。
【０００３】
これを解決するに、液晶表示装置が有する液晶表示パネルの背面にあるバックライトを
間欠的に発光させることで、擬似的に液晶表示装置をインパルス型表示にする方法が提案
されている（例えば、特許文献１参照）。
【０００４】
一般的に、液晶表示装置では、表示部の各行ごとの線順次走査により各画素の電圧を書
き換えることにより、明るさを周期的に変更するが、液晶の光学応答は数ｍ〜数十ｍ秒と
遅い。このため、バックライトが発光するタイミングと、各行の画素の電圧の書き換えタ
イミングと、に差分が生じ、表示に上下むらが発生する場合があった。
【０００５】
これを解消するために、複数の光源からなるバックライトを用いて、線順次走査と同期
して、複数の光源の一部を順次発光させる方法が提案されている（例えば、特許文献２参
照）。
【０００６】
ところが、特許文献２に記載の液晶表示装置では、複数の光源を配置しても、これら複
数の光源ごとの上下むらが発生する場合があった。これを解消するために、画像データの
変換処理を行う方法が提案されている（例えば、特許文献３参照）。
【特許文献１】特開２００１−２０１７６３号公報
【特許文献２】特開平１１−２０２２８６号公報
【特許文献３】特開２００５−１３４７２４号公報
【発明の開示】
【発明が解決しようとする課題】
【０００７】
ところで、特許文献２の電気光学装置のように、バックライトに複数の光源を設けた場
合、このバックライトは以下のような構成になっていた。
【０００８】
図６は、従来例に係るバックライト１４０の構成を示すブロック図である。
バックライト１４０は、光を出射する複数の光源１４１と、複数の光源１４１を駆動す
る複数の電源回路１４２と、を備える。
【０００９】
電源回路１４２は、複数の光源１４１に対応して、複数設けられている。各電源回路１
４２の一端には、低電位電源ＶＳＳが接続され、各電源回路１４２の他端には、各光源１
４１の一端が接続される。
この電源回路１４２は、光源１４１に駆動電源を供給する。
【００１０】
光源１４１は、走査線の延在する方向に沿って、複数設けられている。各光源１４１の
一端には、各電源回路１４２の他端が接続され、各光源１４１の他端には、低電位電源Ｖ
ＳＳが接続される。
この光源１４１は、供給される駆動電源に基づいて、光を出射する。
【００１１】
以上のバックライト１４０は、以下のように動作する。
すなわち、各電源回路１４２は、接続された各光源１４１に駆動電源を供給する。この
駆動電源に基づいて、各光源１４１は、光を出射する。
【００１２】
ところで、上述のように、バックライト１４０は、光源１４１の数と同数の電源回路１
４２を備える。このため、光源１４１の数が多くなると、電源回路１４２の数も多くなる
ので、回路規模が大きくなっていた。一方、光源１４１の数が少なくなると、特許文献３
に記載の液晶表示装置のように、表示むらの発生を解消するために、画像データの変換処
理が必要になるので、この画像データの変換処理を行う回路の分だけ回路規模が大きくな
っていた。
【００１３】
そこで、本発明は、複数の光源から出射する光が不均一となるのを抑制できる照明装置
を簡素な構成で提供し、さらにこれを用いた電気光学装置、および電子機器を提供するこ
とを目的とする。
【課題を解決するための手段】
【００１４】
本発明の照明装置は、光を出射する複数の光源が帯状に設けられた照明装置であって、
前記複数の光源に対応して設けられた複数のスイッチング素子と、前記複数のスイッチン
グ素子を介して、前記複数の光源に駆動電源を供給する１つの電源回路と、前記複数のス
イッチング素子のオンまたはオフをそれぞれ制御するとともに、前記複数のスイッチング
素子のオンまたはオフの制御に同期して、前記電源回路からの供給を制御する制御回路と
、を備えたことを特徴とする。
【００１５】
この発明によれば、複数の光源、複数のスイッチング素子、および１つの電源回路を設
けた。よって、各光源に、各スイッチング素子を介して、同一の電源回路から駆動電源を
供給できるので、簡素な構成により、各光源に供給する駆動電源にばらつきが生じるのを
抑制して、各光源から出射する光が不均一となるのを抑制できる。
【００１６】
また、この発明によれば、制御回路を設けた。よって、この制御回路により、各スイッ
チング素子がオン、オフするタイミングをそれぞれ制御するとともに、各スイッチング素
子がオン、オフするタイミングに同期して、電源回路から各光源に供給する駆動電源を制
御することで、各光源ごとに、光を出射するタイミングと、出射する光の強度と、を制御
できる。
【００１７】
本発明の照明装置では、前記電源回路は、定電流回路で構成され、前記定電流回路の一
端には、低電位電源が接続されるとともに、前記定電流回路の他端には、前記スイッチン
グ素子の一端が接続され、前記複数の光源に駆動電流を供給することが好ましい。
【００１８】
この発明によれば、電源回路を定電流回路で構成し、この定電流回路の一端を低電位電
源に接続し、定電流回路の他端をスイッチング素子の一端に接続した。よって、各光源に
、各スイッチング素子を介して、駆動電流を供給できる。
【００１９】
本発明の照明装置では、前記光源のアノードには、前記複数のスイッチング素子の他端
が接続され、前記光源のカソードには、低電位電源が接続されることが好ましい。
【００２０】
この発明によれば、各光源のアノードに対応する各スイッチング素子の他端を接続し、
光源のカソードに低電位電源を接続した。このため、各光源のアノードに、各スイッチン
グ素子を介して、駆動電流を供給できる。
【００２１】
本発明の照明装置では、前記複数の光源がエレクトロルミネッセンス素子で構成される
ことが好ましい。
【００２２】
この発明によれば、光源をエレクトロルミネッサンス素子で構成したので、広範囲に亘
り均一な強度の光を出射できる。
【００２３】
本発明の電気光学装置は、上述の照明装置と、複数の走査線と、複数のデータ線と、前
記複数の走査線と前記複数のデータ線との交差に対応して設けられた複数の画素を有し、
入力される画像信号に基づいて、前記照明装置から出射される光を変調する電気光学パネ
ルと、を備え、前記照明装置では、前記画素に対して画像信号がデータ線を介して供給さ
れてから当該画素に設けられた電気光学材料の光学応答が完了するまでの間、前記複数の
光源のうち前記画素に対応する光源が消灯し、前記電気光学材料の光学応答が完了した後
に、前記複数の光源のうち前記画素に対応する光源が所定の強度で発光することを特徴と
する。
【００２４】
ここで、電気光学材料に電圧を印加してから、この電気光学材料の配向や秩序の変化と
いった光学応答が完了するまでに、所定期間がかかるので、この所定期間では、電気光学
材料を透過する光源からの光が安定せず、表示むらが生じる場合がある。
そこで、この発明によれば、データ線を介して画素に画像信号が供給されてからこの画
素に設けられた電気光学材料の光学応答が完了するまでの期間、複数の光源のうち上述の
画素に対応する光源を消灯させた。このため、電気光学材料を透過する光源からの光を安
定させて、表示むらが生じるのを抑制でき、動画にぼやけが生じるのを抑制できる。
【００２５】
本発明の電子機器は、上述の電気光学装置を備えたことを特徴とする。
この発明によれば、上述した効果と同様の効果がある。
【発明を実施するための最良の形態】
【００２６】
以下、本発明の実施形態を図面に基づいて説明する。なお、以下の実施形態および変形
例の説明にあたって、同一構成要件については同一符号を付し、その説明を省略もしくは
簡略化する。
＜実施形態＞
図１は、本発明の一実施形態に係る電気光学装置１の構成を示すブロック図である。
電気光学装置１は、電気光学パネルとしての液晶パネルＡＡと、この液晶パネルＡＡを
駆動する制御回路９０と、液晶パネルＡＡに光を照射する照明装置としてのバックライト
４０と、を備える。この電気光学装置１は、バックライト４０からの光を利用して、透過
型の表示を行う。
【００２７】
液晶パネルＡＡは、複数の画素５０を有する表示領域Ａと、この表示領域Ａの周辺に設
けられて画素５０を駆動する走査線駆動回路１１およびデータ線駆動回路２１と、を備え
る。
【００２８】
この液晶パネルＡＡは、複数の走査線１０（図１中、Ｙ１〜Ｙ２００）と、これら走査
線１０に交差するように設けられた複数のデータ線２０と、を備え、各走査線１０および
各データ線２０の交差部には、画素５０が設けられている。なお、本実施形態では、走査
線１０の数を２００本としているが、これに限定する趣旨ではない。
【００２９】
画素５０は、ＴＦＴ５１、画素電極５５、この画素電極５５に対向する共通電極５６、
および、一端が画素電極５５に電気的に接続され他端が共通線３０に電気的に接続された
蓄積容量５３で構成される。画素電極５５および共通電極５６は、誘電体としての液晶（
図示せず）を挟持し、画素容量を形成する。
【００３０】
ＴＦＴ５１のゲート電極には、走査線１０が接続され、ＴＦＴ５１のソース電極には、
データ線２０が接続され、ＴＦＴ５１のドレイン電極には、画素電極５５および蓄積容量
５３が接続されている。画素電極５５と共通電極５６との間には、液晶が挟持され両電極
で画素容量を形成する。したがって、このＴＦＴ５１は、走査線１０から選択電圧が印加
されると、データ線２０と画素電極５５および蓄積容量５３とを導通状態とする。
【００３１】
走査線駆動回路１１は、ＴＦＴ５１を導通状態にする選択電圧を各走査線１０に順次供
給する。例えば、ある走査線１０に選択電圧が供給されると、この走査線１０に接続され
たＴＦＴ５１が全て導通状態になり、この走査線１０に係る画素５０が全て選択される。
【００３２】
データ線駆動回路２１は、画像信号を各データ線２０に供給し、オン状態のＴＦＴ５１
を介して、画素電極５５にこの画像信号を順次書き込む。
【００３３】
バックライト４０は、複数の光源としての複数のエレクトロルミネッセンス（以降、光
源と呼ぶ）４１（図１中、ＢＬ１〜ＢＬ２０）を備える。これら複数の光源４１は、液晶
パネルＡＡの裏面に、走査線１０が延在する方向に沿って帯状に配置され、光を出射する
。より詳しくは、光源ＢＬ１は走査線Ｙ１〜１０、光源ＢＬ２は走査線Ｙ１１〜２０、・
・・、光源ＢＬ１０は走査線Ｙ１９１〜２００に対応して設けられている。なお、本実施
形態では、一対の基板内に発光部材を形成し、出射面側の基板の内側に形成される電極を
帯状にパターンニングしたものの各帯が１つの光源４１に対応した構成となっている。ま
た、本実施形態では、光源４１の数を２０とし、１０本の走査線１０に対して１つの光源
４１が設けられているが、これに限定する趣旨ではない。光源４１の数が多いほど光学的
には好ましいが、駆動等が複雑になるので、適宜設定すればよい。
【００３４】
制御回路９０は、液晶パネルＡＡに電源を供給する電源回路９１と、走査線駆動回路１
１やデータ線駆動回路２１を制御するパネル制御信号を出力するパネル制御回路９２と、
バックライト４０を制御するバックライト制御信号を出力するバックライト制御回路９３
と、を備える。
【００３５】
電源回路９１は、駆動信号を液晶パネルＡＡに供給し、走査線駆動回路１１やデータ線
駆動回路２１などを駆動するのに必要な駆動電源を供給する。
【００３６】
パネル制御回路９２は、走査線駆動回路１１に対して、複数の走査線１０を順次選択走
査させる制御信号を供給する。また、データ線駆動回路２１に対して、上位装置（図示せ
ず）から供給される表示画像データに基づいた画像信号を、走査線駆動回路１１の動作に
同期して、複数のデータ線２０に供給する。
【００３７】
バックライト制御回路９３は、バックライト４０の各光源４１から照射される光の強度
を制御するバックライト制御信号として、後述するスイッチング素子４３（図２参照）の
オン、オフを制御するスイッチング制御信号ＣＴＲＬ１〜ＣＴＲＬ２０と、後述する定電
流電源回路４２（図２参照）の電流値を制御する電流制御信号ＣＨＧと、をバックライト
４０に出力し、各光源４１の発光タイミングおよび光の強度を制御する。
【００３８】
図２は、バックライト４０の回路図である。
バックライト４０は、上述の複数の光源４１と、この複数の光源４１に駆動電流Ｉを供
給する電源回路としての定電流電源回路４２と、複数のスイッチング素子４３と、を備え
る。
【００３９】
定電流電源回路４２は、１つ設けられている。定電流電源回路４２の一端には、低電位
電源ＶＳＳが接続され、定電流電源回路４２の他端には、各スイッチング素子４３の一端
が接続される。
この定電流電源回路４２は、駆動電流Ｉを出力する。
【００４０】
図３は、定電流電源回路４２の回路図である。
本実施形態では、定電流電源回路４２は、カレントミラー回路で構成されるが、これに
限定する趣旨ではない。この定電流電源回路４２は、トランジスタ４２１、４２１Ａと、
抵抗４２２、４２２Ａと、可変抵抗４２３と、を備える。
【００４１】
トランジスタ４２１のベースと、トランジスタ４２１Ａのベースとには、トランジスタ
４２１Ａのコレクタが接続される。
トランジスタ４２１のエミッタには、抵抗４２２の一端が接続され、トランジスタ４２
１Ａのエミッタには、抵抗４２２Ａの一端が接続される。抵抗４２２の他端および抵抗４
２２Ａの他端には、高電位電源ＶＤＤが接続される。
トランジスタ４２１のコレクタには、図２に示した各スイッチング素子４３の一端が接
続される。トランジスタ４２１Ａのコレクタには、トランジスタ４２１のベースおよびト
ランジスタ４２１Ａのベースと、可変抵抗４２３の一端と、が接続される。可変抵抗４２
３の他端には、低電位電源ＶＳＳが接続される。
【００４２】
可変抵抗４２３の抵抗値は、バックライト制御回路９３から出力された抵抗値制御信号
ＣＨＧに基づいて変化する。この可変抵抗４２３は、例えば、図中括弧で示したように、
ＮＰＮ型トランジスタのコレクタをトランジスタ４２１、４２１Ａのベースと接続し、エ
ミッタを抵抗値ＲＥの抵抗の一端と接続し、抵抗の他端を低電位電源ＶＳＳと接続し、ベ
ースに信号ＣＨＧを供給した回路で実現できる。
【００４３】
以上の定電流電源回路４２では、トランジスタ４２１のベースには、トランジスタ４２
１Ａのベースが接続されるので、トランジスタ４２１のベースに印加される電流は、トラ
ンジスタ４２１Ａのベースに印加される電流に等しい。このため、トランジスタ４２１、
４２１Ａの特性が互いに同一であり、かつ、抵抗４２２、４２２Ａの特性が互いに同一で
あれば、定電流電源回路４２から出力される駆動電流Ｉは、可変抵抗４２３に流れる電流
に等しくなる。よって、可変抵抗４２３の抵抗値を変化させて、この可変抵抗４２３に流
れる電流が変化すると、駆動電流Ｉも変化する。
【００４４】
図２に戻って、スイッチング素子４３は、複数の光源４１に対応して、複数設けられて
いる。各スイッチング素子の一端には、上述の定電流電源回路４２のトランジスタ４２１
のコレクタが接続され、各スイッチング素子の他端には、光源４１のアノードが接続され
る。
このスイッチング素子４３は、バックライト制御回路９３から出力されたスイッチング
制御信号ＣＴＲＬｘ（ｘは、１≦ｘ≦２０の整数）に基づいて、スイッチング動作を行う
。
【００４５】
光源４１は、図１に示したように、走査線１０が延在する方向に沿って帯状に複数設け
られている。各光源４１のアノードには、複数のスイッチング素子４３の他端が接続され
、各光源４１のカソードには、低電位電源ＶＳＳが接続される。
この光源４１は、アノードから入力された駆動電流Ｉｘに基づいて、光を出射する。
【００４６】
以上のバックライト４０は、以下のように動作する。
すなわち、バックライト制御回路９３から出力された抵抗値制御信号ＣＨＧに基づいて
、定電流電源回路４２から駆動電流Ｉを出力する。複数のスイッチング素子４３は、バッ
クライト制御回路９３から出力されたスイッチング制御信号ＣＴＲＬｘに基づいてスイッ
チング動作を行い、オン状態のスイッチング素子４３に接続された光源４１のアノードに
は、定電流電源回路４２から出力された駆動電流Ｉを同時にオン状態であるスイッチの数
で割ったのに等しい駆動電流Ｉｘが流れる。この駆動電流Ｉｘに基づいて、オン状態のス
イッチング素子４３に接続された光源４１は、それぞれ発光する。一方、オフ状態のスイ
ッチング素子４３に接続された光源４１は、駆動電流Ｉｘが流れないので、消灯する。
【００４７】
図４は、バックライト４０の動作を示すタイミングチャートである。
ここで、ＯＰ１〜ＯＰ２００は、走査線Ｙ１〜Ｙ２００に係る画素５０の光学応答を示
すものとする。また、スイッチング制御信号ＣＴＲＬ１〜ＣＴＲＬ２０は、それぞれ、光
源ＢＬ１〜ＢＬ２０に接続されたスイッチング素子４３のオン、オフを制御するものとす
る。また、駆動電流Ｉ１〜Ｉ２０は、それぞれ、光源ＢＬ１〜ＢＬ２０に入力される電流
とする。
【００４８】
まず、時刻ｔ１において、スイッチング制御信号ＣＴＲＬ１の電圧をＶＨとする。する
と、光源ＢＬ１に接続されたスイッチング素子４３がオフ状態となる。このため、駆動電
流Ｉ１が電流ＩＬとなり、光源ＢＬ１は消灯する。
また、走査線Ｙ１に係る画素５０に画像データを書き込む。
【００４９】
次に、時刻ｔ２において、走査線Ｙ２に係る画素５０に画像データを書き込む。
次に、時刻ｔ３において、走査線Ｙ３に係る画素５０に画像データを書き込む。
時刻ｔ２、ｔ３と同様に、走査線Ｙ４〜Ｙ１０に係る画素５０についても、画像データ
を順次書き込む。
【００５０】
次に、時刻ｔ４において、上述の画像データを書き込んだ走査線Ｙ１に係る画素５０の
液晶の光学応答ＯＰ１が完了する。
次に、時刻ｔ５において、上述の画像データを書き込んだ走査線Ｙ２に係る画素５０の
液晶の光学応答ＯＰ２が完了する。
時刻ｔ４、ｔ５と同様に、上述の画像データを書き込んだ走査線Ｙ３〜Ｙ９に係る画素
５０の液晶についても、光学応答が順次完了する。
【００５１】
次に、時刻ｔ６において、上述の画像データを書き込んだ走査線Ｙ１０に係る画素５０
の液晶の光学応答ＯＰ１０が完了する。ここで、スイッチング制御信号ＣＴＲＬ１の電圧
をＶＬとする。すると、光源ＢＬ１に接続されたスイッチング素子４３がオン状態となる
。このため、駆動電流Ｉ１が電流ＩＨとなり、光源ＢＬ１は所定の発光強度で発光する。
【００５２】
以上の電気光学装置１は、以下のように動作する。
すなわち、走査線駆動回路１１から走査線１０に選択電圧を順次供給することで、ある
走査線１０に係るＴＦＴ５１を全てオン状態にして、この走査線１０に係る画素５０を全
て選択する。そして、これら画素５０の選択に同期して、データ線駆動回路２１からデー
タ線２０に画像信号を供給する。すると、走査線駆動回路１１で選択した全ての画素５０
に、データ線駆動回路２１からデータ線２０およびオン状態のＴＦＴ５１を介して画像信
号が供給されて、この画像信号が画素電極５５に書き込まれる。これにより、画素電極５
５と共通電極５６との間に電位差が生じて、画像信号に基づく画像電圧が液晶に印加され
、この画素５０の液晶の光学応答が始まる。そして、走査線１０に係る全ての画素５０の
液晶の光学応答が完了までの期間、複数の光源４１のうちこの走査線１０に対応する光源
４１が消灯する。
【００５３】
そして、上述の走査線１０に係る全ての画素５０の光学応答が完了すると、複数の光源
４１のうちこの走査線１０に対応する光源４１が所定の発光強度で発光する。
【００５４】
以上により、画像信号の電圧レベルを変化させることで液晶の配向や秩序を変化させる
とともに、各画素５０に供給する光の強度を制御して、各画素５０の光変調による階調表
示を行う。特に、走査線１０に係る全ての画素５０の液晶の光学応答が始まってから完了
するまでの期間では、この走査線１０に係る全ての画素５０に供給する光の強度を“０”
にして、黒の階調表示を行うことで、いわゆる黒挿入を行う。
【００５５】
本実施形態によれば、以下のような効果がある。
（１）複数の光源４１、複数のスイッチング素子４３、および１つの定電流電源回路４
２を設けた。よって、各光源４１に、各スイッチング素子４３を介して、同一の定電流電
源回路４２から出力された駆動電流Ｉに基づく駆動電流Ｉｘを供給できるので、簡素な構
成により、各光源４１に供給する駆動電流Ｉｘにばらつきが生じるのを抑制して、各光源
４１から出射する光が不均一となるのを抑制できる。
【００５６】
（２）バックライト制御回路９３を設けたので、このバックライト制御回路９３から出
力されたスイッチング制御信号ＣＴＲＬｘに基づいて、各スイッチング素子４３がオン、
オフするタイミングをそれぞれ制御できる。よって、これら各スイッチング素子４２を介
して、各光源４１に駆動電流Ｉｘを供給するタイミングを制御して、各光源４１から光を
出射するタイミングを制御できる。
また、各スイッチング素子４３がオン、オフするタイミングに同期して、バックライト
制御回路９３から出力された抵抗値制御信号ＣＨＧに基づいて定電流電源回路４２から出
力される駆動電流Ｉの電流値を制御できる。よって、各光源４１に供給する駆動電流Ｉｘ
の電流値を制御して、各光源４１から出射する光の強度を制御できる。
【００５７】
（３）定電流電源回路４２をカレントミラー回路で構成し、このカレントミラー回路の
一端を低電位電源ＶＳＳに接続し、カレントミラー回路の他端をスイッチング素子４３の
一端に接続した。よって、各光源４１に、各スイッチング素子４３を介して、駆動電流を
簡素な構成で供給できる。
【００５８】
（４）各光源４１のアノードに対応する各スイッチング素子４３の他端を接続し、各光
源４１のカソードに低電位電源ＶＳＳを接続した。このため、各光源４１のアノードに、
各スイッチング素子４３を介して、駆動電流Ｉｘを供給できる。
【００５９】
（５）光源４１をエレクトロルミネッサンス素子で構成したので、広範囲に亘り均一な
強度の光を出射できる。
【００６０】
（６）データ線２０を介して画素５０に画像信号が供給されてからこの画素５０に設け
られた液晶の光学応答が完了するまでの間、上述の画素５０に対応する光源４１を消灯さ
せた。よって、複数の光源４１による黒挿入制御可能となり、表示むらを補償する表示デ
ータ処理が不要になるので、動画のぼやけを解消することができる。
また、表示内容、例えば、早い動画、遅い動画、静止画によって、黒挿入の割合を変え
た方が好ましい場合がある。即ち、早い動画の場合には、黒挿入の割合を多くした方がよ
り動画が鮮明に見え、静止画では、黒挿入を無くした方がちらつきの全くない表示が得ら
れる。
このような切り替えは、同時に点灯する光源の数を増減させることで黒挿入の割合を容
易に変えることが可能である。なお、本実施形態では、定電流電源回路４２が出力する駆
動電流Ｉを制御することで、黒挿入の割合の如何にかかわらず、常に一定の明るさに保つ
ことが可能となる。
また、待機表示画面等で一部分のみを表示させる時の照明として、所定行のみを所定の
明るさで行うことも容易にできる。これにより、低消費電力化が図られる。
【００６１】
＜変形例＞
なお、本発明は上述の実施形態に限定されるものではなく、本発明の目的を達成できる
範囲での変形、改良等は本発明に含まれるものである。
例えば、上述の実施形態では、電気光学装置１は、透過型の表示を行うこととしたが、
これに限らず、バックライト４０からの光を利用する透過型表示と、自然光や室内光とい
った周囲の反射光を利用する反射型表示と、を兼ね備えた半透過反射型の表示を行っても
よい。
【００６２】
また、上述の実施形態において、光源４１として一体形成された光源を用いたが、これ
に限らず、例えばＬＥＤ（発光ダイオード）や冷陰極蛍光管（ＣＣＦＬ）であってよい。
但し、これらの場合、電気特性の揃ったものを選別して使用することが好ましい。
【００６３】
また、上述の実施形態における液晶としては、ＴＮ（Twisted  Nematic）液晶や負の誘
電率を用いた液晶を用いてもよい。また、液晶の表示モードとしては、ＩＰＳ（In-Plane
Switching）やＦＦＳ（Fringe-Field  Switching）などでもよい。
【００６４】
＜応用例＞
次に、上述した実施形態に係る電気光学装置１を適用した電子機器について説明する。
図５は、電気光学装置１を適用した携帯電話機の構成を示す斜視図である。携帯電話機
３０００は、複数の操作ボタン３００１およびスクロールボタン３００２、ならびに電気
光学装置１を備える。スクロールボタン３００２を操作することによって、電気光学装置
１に表示される画面がスクロールされる。
【００６５】
なお、電気光学装置１が適用される電子機器としては、図５に示すもののほか、パーソ
ナルコンピュータ、情報携帯端末、デジタルスチルカメラ、液晶テレビ、ビューファイン
ダ型、モニタ直視型のビデオテープレコーダ、カーナビゲーション装置、ページャ、電子
手帳、電卓、ワードプロセッサ、ワークステーション、テレビ電話、ＰＯＳ端末、タッチ
パネルを備えた機器などが挙げられる。そして、これらの各種電子機器の表示部として、
前述した電気光学装置が適用可能である。
【図面の簡単な説明】
【００６６】
【図１】本発明の一実施形態に係る電気光学装置の構成を示すブロック図である。
【図２】前記電気光学装置におけるバックライトの回路図である。
【図３】前記電気光学装置における駆動電流源の回路図である。
【図４】前記電気光学装置におけるバックライトの動作を示すタイミングチャートである。
【図５】上述した電気光学装置を適用した携帯電話機の構成を示す斜視図である。
【図６】従来例に係るバックライトの構成を示すブロック図である。
【符号の説明】
【００６７】
１…電気光学装置、１０…走査線、１１…走査線駆動回路、２０…データ線、２１…デ
ータ線駆動回路、４０…バックライト（照明装置）、４１…光源（光源）、４２…定電流
電源回路（電源回路）、４３…スイッチング素子、５０…画素、９４…バックライト制御
回路、３０００…携帯電話機（電子機器）、ＡＡ…液晶パネル（電気光学パネル）。
【図１】
2007304386.tif 000003
【図２】
2007304386.tif 000004
【図３】
2007304386.tif 000005
【図４】
2007304386.tif 000006
【図５】
2007304386.tif 000007
【図６】
2007304386.tif 000008